(57)【要約】【課題】一次シール部と二次シール部を一体に備えたシール材を用いて目地を二重に防水する防水構造において、シール材の目地への挿入作業が容易で、シールが確実に行える防水構造を提供する。【解決手段】シール材２１は、目地５の細幅部５ｂを形成する外壁パネル側端面に弾接するリップ２４、２５、２６よりなる一次シール部２７と、該シール部２７の屋内側リップ２６の中間部より突出形成される脚部２９と、該脚部先端より斜め上向きに突出形成され、目地広幅部５ａの屋外側側面に弾接するシールリップ３０と、前記脚部先端より前記シールリップ３０と逆向きに斜めに突出形成されるガイドリップ３１の二次シール部３２からなり、ガイドリップ３１は先端間の間隔ｍが前記目地５の幅Ｄより狭く、目地の細幅部５ｂに挿入する際のガイドとしての機能を果たす。【選択図】図３
2015132142.tif 000002
【特許請求の範囲】
【請求項１】
建物外壁の外壁パネル１ａ、１ｂ間の目地５が屋内側の広幅部５ａと、屋外側の細幅部５ｂよりなって屋内側が広い段付状をなし、目地５に押込んで装填されるシール材２１が柱部２３と、該柱部２３の複数か所より側方に突出形成され、前記目地５の細幅部５ｂを形成する外壁パネル側端面に弾接するリップ２４、２５、２６よりなるガスケット状の一次シール部２７と、該一次シール部２７の前記リップ２４、２５、２６のうち、最も屋内側に位置する屋内側リップ２６の中間部より屋内側に向って突出形成される脚部２９と、該脚部先端より前記一次シール部２７の屋内側リップ先端に向って斜めに突出形成され、目地広幅部５ａの屋外側側面に弾接するシールリップ３０と、前記脚部先端より前記シールリップ３０と逆向きに前記柱部の延長上に向って斜めに突出形成されるガイドリップ３１よりなる二次シール部３２からなり、該二次シール部３２の両脚部２９よりそれぞれ斜め内向きに突出形成されるガイドリップ３１は、先端間の間隔ｍが前記目地５の幅Ｄより狭く、目地５の細幅部５ｂに挿入する際のガイドとしての機能を果たすことを特徴とする目地の防水構造。
【請求項２】
前記脚部２９は柱部２３と平行をなし、先端側が柱部２３の延長上より離れる方向に湾曲ないし傾斜することを特徴とする請求項１記載の防水構造。
【請求項３】
前記脚部２９が突出形成される一次シール部２７の前記屋内側リップ２６には、脚部２９と共に屈曲するのを容易にするためにノッチ３３ないし薄肉部が形成されることを特徴とする請求項１又は２記載の防水構造。
【発明の詳細な説明】
【技術分野】
【０００１】
本発明は、建物外壁の外壁パネル間に形成される目地の屋外側に装填される一次シール部と、該一次シール部と一体形成され、目地の屋内側に配置される二次シール部を備え、一次及び二次シール部で目地を二重にシールするシール材を用いた目地の防水構造に関する。
【背景技術】
【０００２】
図１は、下記特許文献１に開示される建物外壁の外壁パネル間の目地の防水構造を示すもので、外壁パネル１ａ、１ｂはそれぞれ、側縁の屋内側に目地に向って開口する略倒Ｊ形状の金属枠２を備えており、該金属枠２を押える取付金具３により軸組４に取付けられている。
【０００３】
外壁パネル１ａ、１ｂ間に形成される目地５の屋外側にはガスケットよりなる一次シール材６が装填され、金属枠２で形成される目地の屋内側の広幅部分５ａには、前記取付金具３に支持され、両側の湾曲部７の各側端を目地両側の金属枠２の屋外側側壁にそれぞれ弾接させた二次シール材８が配置され、一次シール材６と二次シール材８とで目地５を二重にシールし防水する構造となっている。
【０００４】
図２は、下記特許文献２に開示される建物外壁の外壁パネル間の目地の防水構造を示すもので、外壁パネル１１ａ、１１ｂは側縁の屋内側に溝形桟木１２を備え、外壁パネル間に形成される目地１３には目地材１４が装着されている。この目地材１４は柱部１５と、該柱部１５の両側に突設される表層リップ１６、中間リップ１７及び脚部リップ１８よりなり、表層リップ１６と中間リップ１７が目地両側の外壁パネル側端面に弾接すると共に、脚部リップ１８が屋内側目地の幅広部分を形成する溝形桟木内で該溝形桟木１２の屋内側側壁１２ａに支持され、脚部リップ１８先端が溝形桟木１２の屋外側側壁１２ｂに弾接して目地を二重にシールし防水する構造となっている。
【先行技術文献】
【特許文献】
【０００５】
【特許文献１】特開２０１１−１７９２１６号
【特許文献２】特開２００１−２６２７２４号
【発明の概要】
【発明が解決しようとする課題】
【０００６】
図１に示す目地の防水構造では、二次シール材８を二つに折り畳んで目地に挿入し、金属枠２で形成される目地５の広幅部分５ａに装着したのち、一次シール材６を目地５に挿入するが、二次シール材８を折り畳んで目地に挿入し、金属枠内に収める作業は容易でない。そのうえ外壁パネル１ａ、１ｂを固定する取付金具３は目地の長手方向に部分的に取付けられ、取付金具３がない箇所では、二次シール材８が取付金具３で支持されないため、二次シール材８が金属枠２の屋外側側壁２ｂに接触しなくなってシール不足が生ずるおそれがある。また一次シール材６と二次シール材８の２度の挿入作業が必要で、手間がかかり施工に多くの時間がかかる。
【０００７】
この点図２に示す目地の防水構造では、目地材１４を図１に示すガスケットよりなる一次シール材６と同様、目地に押込むことにより挿入され、しかも挿入作業は一度ですむため作業性がよく、施工時間が短縮されるほか、各リップ１６、１７、１８は目地の長手方向に目地に途切れることなく弾接し、シール不足を来たすことがないが、この防水構造にもなお改善すべき余地がある。
【０００８】
本発明は、一次シール部と、該一次シール部と一体形成される二次シール部を備えたシール材を用いて目地を二重に防水する目地の防水構造において、シール材の目地への挿入作業がより容易で、シールがより確実に行える構造の目地の防水構造を提供することを目的とする。
【課題を解決するための手段】
【０００９】
請求項１に係る発明の目地の防水構造は、建物外壁の外壁パネル間の目地が屋内側の広幅部と、屋外側の細幅部よりなって屋内側が広い段付状をなし、目地に押込んで装填されるシール材が柱部と、該柱部の複数か所より側方に突出形成され、前記目地の細幅部を形成する外壁パネル側端面に弾接するリップよりなるガスケット状の一次シール部と、該一次シール部の前記リップのうち、最も屋内側に位置する屋内側リップの中間部より屋内側に向って突出形成される脚部と、該脚部先端より前記一次シール部の屋内側リップ先端に向って斜めに突出形成され、目地広幅部の屋外側側面に弾接するシールリップと、前記脚部先端より前記シールリップと逆向きに前記柱部の延長上に向って斜めに突出形成されるガイドリップよりなる二次シール部からなり、該二次シール部の両脚部よりそれぞれ斜め内向きに突出形成されるガイドリップは、先端間の間隔が前記目地の幅Ｄより狭く、目地の細幅部に挿入する際のガイドとしての機能を果たすことを特徴とする。
【００１０】
請求項２に係る発明は、請求項１に係る発明の目地の防水構造において、脚部は柱部と平行をなし、先端側が柱部の延長上より離れる方向に湾曲ないし傾斜することを特徴とし、
請求項３に係る発明は、請求項１又は２に係る発明の目地の防水構造において、脚部が突出形成される一次シール部の前記屋内側リップには、脚部と共に屈曲するのを容易にするためにノッチないし薄肉部が形成されることを特徴とする。
【発明の効果】
【００１１】
請求項１に係る発明の目地を二重に防水するシール材は、一次シール部と二次シール部が一体をなすため目地への挿入が一度ですみ、施工時間が短縮できること、シール材を目地に押込むと、一次シール部の各リップはそれぞれ外壁パネル側端面に当たって屋外側に向け屈曲し、屋内側リップが屋外側へ屈曲するのに伴い、該リップより突出形成される二次シール部の脚部も同様に屋外側に向って屈曲するようになり、これによりシールリップが目地広幅部の屋外側側面に押付けられるようになって、二次シール部によるシールを確実に行うことができること、特許文献２に示されるような脚部リップ１８の先端を溝形桟木１２の屋外側側壁に弾接させるために脚部リップ１８を支持する溝型桟木の屋内側側壁である底壁が不要となり、しかも本発明では脚部を屋内側より支持する必要がないため、目地広幅部内の脚部リップ１８の収納スペースを広く採ることができ、目地広幅部への挿入が容易となること、斜め下向きに延びるガイドリップは、先端間の間隔が目地の幅Ｄより小さいため目地細幅部への挿入が容易となり、挿入後はガイドリップがガイド機能を果たして目地に挿入し易くなること、一次シール部の各リップが外壁パネル側端面に弾接し、かつ二次シール部のシールリップが目地広幅部の屋外側側面に弾接することにより外壁パネル側端面の段をなすコーナにおいて、屋内側リップとシールリップで囲まれて閉鎖する排水空間を形成し、水が一次シール部のリップを潜り抜けるようなことがあっても閉鎖した排水空間を伝わって外部に排出されるようになること、等の効果を奏する。本発明において目地幅Ｄとは最も屋外側の外壁パネル間の間隔を言い、本発明のように目地へシール材を屋外側から差込み挿入する場合は、その差込み口の幅を示している。
【００１２】
請求項２に係る発明のシール材においては、脚部の先端側が外向きに反るように形成されることにより、シールリップは、その突出長さを長くしなくても目地広幅部の屋外側側面に押付けられるようになる。
【００１３】
請求項３に係る発明のシール材によると、一次シール部の屋内側リップに形成したノッチないし薄肉部により目地挿入時、一次シール部の屋内側リップが二次シール部の脚部と共に屈曲し易くなり、二次シール部のシールリップによるシールがより確実に行えるようになる。
【図面の簡単な説明】
【００１４】
【図１】目地の防水構造の従来例を示す断面図。
【図２】目地の防水構造の他の従来例を示す断面図。
【図３】本発明に係る目地の防水構造を示す断面図。
【図４】図４に示す防水構造で用いられるシール材の断面図。
【図５】別の態様の脚部の要部の断面図。
【図６】更に別の態様の脚部の要部の断面図。
【発明を実施するための形態】
【００１５】
以下、本発明の実施形態の防水構造について図面により説明する。図中、図１に示す防水構造と同一構造部分には同一符号を付してある。
【００１６】
図３に示す防水構造において、隣接する外壁パネル１ａ、１ｂは金属枠２の屋内側側壁２ａを金属枠内側から押える取付金具３により軸組４に取付けられ、外壁パネル間には、
該パネル側端面にて形成される屋外側の細幅部５ｂと、金属枠２にて形成される屋内側の広幅部５ａよりなる目地５が形成されている。また該パネル側端面の屋外側の角は面取りされて傾斜状となっており、これにより目地５は目地幅Ｄから屋内側の細幅部５ｂへ向かって徐々に縮小している。以上述べた外壁パネル１ａ、１ｂの取付構造及び目地５は前記背景技術において前述した通りである。
【００１７】
図４は目地５に挿入されるシール材２１の断面構造を示すもので、鋼板を折り重ねて形成される芯金２２をインサートした柱部２３と、柱部２３の両側に平行をなして側方に突出形成される柱部上端の表層リップ２４、柱部中間部の中間リップ２５及び柱部下端の最も屋内側に位置する屋内側リップ２６を有し、全体の断面形状が王字形をなすガスケットよりなる一次シール部２７と、柱部２３から突出する屋内側リップ２６の突出長さの略中間部より柱部２３の延長と平行をなして屋内側に延び、先端側が柱部２３の延長上より離れる方向の外向きに湾曲する脚部２９と、該脚部２９の先端より前記屋内側リップ２６の先端に向って斜め上向きに突出形成されるシールリップ３０と、脚部先端より前記シールリップ３０と逆向きに柱部２３の延長上に向って斜め下向きに突出形成されるガイドリップ３１よりなる二次シール部３２からなり、該シール部３２のガイドリップ先端の間隔ｍは前記外壁パネル１ａ、１ｂ間の目地５の幅Ｄより狭くなっている。
【００１８】
脚部２９についても目地細幅部５ａにスムースに挿入できるように脚部先端での間隔は前記目地の幅Ｄより狭くするのが望ましい。また図示するガイドリップ３１は、シールリップ３０の略延長上に連続して滑らかに形成されているが、シールリップ３０とは段をなし、シールリップ３０がガイドリップ３１より引込んで形成されていてもよい。
【００１９】
図５は、シールリップ３０がガイドリップ３１より屋外側に引込んでガイドリップ３１と段をなすようにして形成された例を示すものである。
図６は、シールリップ３０がガイドリップ３１の延長上より屋内側に若干突出して形成された例を示すもので、シールリップ３０は屋内側の側面がガイドリップ３１と段差なく滑らかに連続して形成されている。
【００２０】
前記実施形態のシール材２１における二次シール部３２の脚部２９は前述するように、先端側が外向きに湾曲して形成されているが、真直ぐに直線上に形成されていてもよいし、全体が内向き或いは外向きに湾曲ないし傾斜して形成されていてもよい。しかし後述するように、挿入後にはシールリップ３０の先端が金属枠２の屋外側側面に押し当たるため、脚部２９は図４〜図６に示すように先端側が外向きに湾曲して形成されるのが望ましい。
【００２１】
前記シール材２１はまた、一次シール部２７のリップ２４、２５、２６のうち、屋内側リップ２６の柱部側の脚部２９の根元付近にノッチ３３が形成され、脚部２９とノッチ３３より先端側のリップ２６が共にノッチ３３を形成した箇所より容易に屈曲できるようにしてある。ノッチ３３は図４に示す例においては、リップ２６の上面に形成されているが、下面に形成してもよいし、上下面に形成してもよい。またノッチ３３に代え、薄肉部としてもよい。
【００２２】
図示する前記リップ２４、２５、２６はそれぞれ平行で、水平向きであるが、少なくとも一つのリップは上向きに傾斜ないし湾曲していてもよく、また中間リップ２５は複数であってもよいし省いてもよい。
【００２３】
芯金２２も図示する形状に限定されるものではなく、断面が例えば円形や楕円形であってもよいし、省いてもよい。また金属以外の例えば硬質樹脂製であってもよい。
【００２４】
本実施形態のシール材２１の材質としては、芯金２２を除き例えば、ＥＰＤＭゴム、天然ゴム、クロロプレンゴムなどの熱硬化性材料や熱可塑性エラストマー（ＴＰＥ）のオレフィン系（ＴＰＯ）スチレン系（ＴＰＳ）などのゴム様弾性体が用いられる。
【００２５】
図４に示すシール材２１を外壁パネル１ａ、１ｂ間の目地５に挿入するときには、二次シール部３２のガイドリップ３１の先端を目地５に当てがい、一次シール部２７の表層リップ２４を手で直接または工具を用いて押し込んでシール材２１を目地５に挿入する。挿入時には先ず、目地細幅部５ｂを形成する外壁パネル側端面により二次シール部３２のシールリップ３０が脚部側の内向きに倒され、ついで一次シール部２７の各リップ２４、２５、２６が上向きに屈曲する。このうち、屋内側リップ２６の屈曲に伴い脚部２９もガイドリップ３１やシールリップ３０と共に跳ね上がろうとするが、外壁パネル側端面で押えられているため、該側端面に押え付けられたまま挿入され、シールリップ先端が金属枠側端より外れたとき、脚部２９及びシールリップ３０の弾発力で外向きに開き、シール材２１が定位置まで挿入されると、シールリップ３０が図３に示すように目地広幅部５ｂの屋外側側面を備えた金属枠２の屋外側側壁２ｂに弾接し、シールされるようになる。
【００２６】
図４に示すシール材２１において、ガイドリップ３１はシールリップの略延長上に連続して滑らかに形成されているため、目地５への挿入時の抵抗が少なく、挿入がスムースに行える。また図６に示すように、シールリップ３０がガイドリップ３１の延長上より屋内側に若干突出して形成されていても、両リップ３０、３１の屋内側側面が連続して滑らかに形成されることにより、引掛かりをしょうずることなく、目地５への挿入をスムースに行うことができる。
図５に示すように、シールリップ３０がガイドリップ３１と段をなして屋外側に引込んで形成されている場合においては、シールリップ３０を目地５へ挿入する際の抵抗がより少なくなり、挿入がよりスムーズとなる。
また図３に示すように外壁パネルの屋外側側端面の角が面取りされた傾斜状となっているため、目地５が目地幅Ｄから屋内側の細幅部５ｂへ向かって縮小していても、前述したシール材２１の目地５への挿入がスムーズに行える。しかし、本発明において、必ずしも外壁パネルの屋外側側端面の角を傾斜状とすることは必要としない。
【００２７】
シールリップ３０の延長上に位置し、図３に示すシール材２１の取付状態が外壁パネル間の目地５の防水構造となり、この防水構造において、一次シール部２７の各リップ２４、２５、２６が外壁パネル側端面に押付けられてシールされると共に、二次シール部３２のシールリップ３０が金属枠２の屋外側側壁２ｂに弾接してシールされ、一次シール部２７と二次シール部３２とで目地５を二重に防水する構造となっており、外壁側端面の段を形成するコーナは屋内側リップ２６とシールリップ３０で囲まれて閉鎖した排水空間３４を形成し、水がリップ２４、２５、２６を潜り抜けるようなことがあっても排水水空間３４を通って屋外に排水されるようになっている。
【００２８】
前記実施形態の外壁パネル１ａ、１ｂは側縁の屋内側に金属枠２を備え、軸組４に取付金具３により取付られるようになっているが、軸組４に取付金具３を用いて取付るのではなく、既知の他の方法、例えば図２に示すように柱１９に取付けられるようにしてもよい。この場合、前述する金属枠２は省くことができ、省いた場合、シールリップ３０は外壁パネル１ａ、１ｂに形成される目地広幅部の屋外側側面に直接弾接するようになる。
【符号の説明】
【００２９】
１ａ、１ｂ・・外壁パネル
２・・金属枠
３・・取付金具
４・・軸組
５・・目地
２１・・シール材
２２・・芯金
２３・・柱部
２４・・表層リップ
２５・・中間リップ
２６・・屋内側リップ
２７・・一次シール部
２９・・脚部
３０・・シールリップ
３１・・ガイドリップ
３２・・二次シール部
３３・・ノッチ
３４・・排水空間
【図１】
2015132142.tif 000003
【図２】
2015132142.tif 000004
【図３】
2015132142.tif 000005
【図４】
2015132142.tif 000006
【図５】
2015132142.tif 000007
【図６】
2015132142.tif 000008